(57)【要約】      （修正有）【課題】任意の紙を固定し、正確な穿孔を可能とする単孔パンチであって、構造が簡単で、使用が容易であり、携帯に便利な単孔パンチを提供する。【解決手段】単孔パンチの押し抜きモジュールが、ベース上に設置され、ベース上の押し抜きモジュールと相対する位置に孔が設けられ、ベースと押し抜きモジュールとの間に、２つの辺より形成される直角スロットが設けられ、押し抜きモジュールが、基台、穿孔部、バネ、支持アーム及びローラを含むことによる。【選択図】図３
0003118694.tif 000002
【実用新案登録請求の範囲】
【請求項１】
ベース及び押し抜きモジュールを含んでなる単孔パンチにおいて、
前記押し抜きモジュールが、前記ベース上部に設置され、
前記押し抜きモジュールに孔が設けられ、
前記ベースと押し抜きモジュールとの間に、２つの辺より形成される直角スロットが設けられることを特徴とする、単孔パンチ。
【請求項２】
前記直角スロットの２つの辺が接続され、直角スロットが形成されることを特徴とする、請求項１に記載の単孔パンチ。
【請求項３】
前記直角スロットの２つの辺が接続されず、間隔を開けた状態で、直角スロットが形成されることを特徴とする、請求項１に記載の単孔パンチ。
【請求項４】
前記直角スロットの２つの辺が、ベース上の凸部として形成されることを特徴とする、請求項１〜３の何れか一に記載の単孔パンチ。
【請求項５】
前記直角スロットの２つの辺が、ベースと押し抜きモジュールとを連接する辺として形成されることを特徴とする請求項１〜４の何れか一に記載の単孔パンチ。
【請求項６】
前記直角スロット一方の辺と孔の中心点との間隔が38mm〜42mmであって、他方の辺と孔の中心点との間隔が10mm〜30mmであることを特徴とする、請求項１〜５の何れか一に記載の単孔パンチ。
【請求項７】
前記押し抜きモジュールが、基台、穿孔部、バネ、支持アーム及びローラを含み、
前記穿孔部が基台に装着され、
前記穿孔部と基台とにバネが連接され、
前記支持アーム及びローラが、穿孔部の上部に設けられることを特徴とする、請求項１〜６の何れか一に記載の単孔パンチ。
【請求項８】
前記支持アームの上部に操作部が設けられることを特徴とする、請求項７に記載の単孔パンチ。
【請求項９】
前記ベースにスタックトレイが設けられることを特徴とする、請求項１〜８の何れか一に記載の単孔パンチ。
【考案の詳細な説明】
【技術分野】
【０００１】
本考案は紙用の単孔パンチに関し、特に、紙を固定し正確な穿孔を可能とし、製本等に用いられる単孔パンチに関する。
【背景技術】
【０００２】
従来の、紙用のパンチには、一般的に単孔のパンチと双孔のパンチとがあり、双孔のパンチでは、同時に２つの孔を穿孔することができる。しかしながら、２つの孔の間隔は固定されており、異なった寸法の紙に異なった間隔で穿孔することができない。また、単孔パンチは、双孔パンチよりも体積が小さく、携帯するのにも便利であり、一度に１つの孔をパンチし、また、折り畳んだ紙を穿孔することにより、同時に多数の孔を穿孔することができる。さらに、穿孔の間隔が固定されていないので、異なる間隔で穿孔することができる。しかしながら、従来の単孔パンチでは、正確な位置に穿孔することが困難であり、各紙の穿孔位置がずれ、製本に困難をもたらすこととなる。単孔パンチには、穿孔位置を固定する装置が備わったものもあり、紙を固定して正確な位置を穿孔することができる。しかしながら、このような単孔パンチは、構造が複雑なものとなり、操作も複雑なものとなり、携帯にも不便なものである。
【考案の開示】
【考案が解決しようとする課題】
【０００３】
本考案の課題は、任意の紙を固定し、正確な穿孔を可能とする単孔パンチであって、構造が簡単で、使用が容易であり、携帯に便利な単孔パンチを提供することである。
【課題を解決するための手段】
【０００４】
本発明者は、鋭意研究を重ねた結果、単孔パンチに直角スロットを設けることにより、上記課題を解決する単孔パンチを完成した。
【０００５】
すなわち、本考案の単孔パンチは、以下よりなる。
１．ベース及び押し抜きモジュールを含んでなる単孔パンチにおいて、
前記押し抜きモジュールが、前記ベース上部に設置され、
前記押し抜きモジュールに孔が設けられ、
前記ベースと押し抜きモジュールとの間に、２つの辺より形成される直角スロットが設けられることを特徴とする、単孔パンチ。
２．前記直角スロットの２つの辺が接続され、直角スロットが形成されることを特徴とする、前項１に記載の単孔パンチ。
３．前記直角スロットの２つの辺が接続されず、間隔を開けた状態で、直角スロットが形成されることを特徴とする、前項１に記載の単孔パンチ。
４．前記直角スロットの２つの辺が、ベース上の凸部として形成されることを特徴とする、前項１〜３の何れか一に記載の単孔パンチ。
５．前記直角スロットの２つの辺が、ベースと押し抜きモジュールとを連接する辺として形成されることを特徴とする前項１〜４の何れか一に記載の単孔パンチ。
６．前記直角スロット一方の辺と孔の中心点との間隔が38mm〜42mmであって、他方の辺と孔の中心点との間隔が10mm〜30mmであることを特徴とする、前項１〜５の何れか一に記載の単孔パンチ。
７．前記押し抜きモジュールが、基台、穿孔部、バネ、支持アーム及びローラを含み、
前記穿孔部が基台に装着され、
前記穿孔部と基台とにバネが連接され、
前記支持アーム及びローラが、穿孔部の上部に設けられることを特徴とする、前項１〜６の何れか一に記載の単孔パンチ。
８．前記支持アームの上部に操作部が設けられることを特徴とする、前項７に記載の単孔パンチ。
９．前記ベースにスタックトレイが設けられることを特徴とする、前項１〜８の何れか一に記載の単孔パンチ。
【考案の効果】
【０００６】
本考案によれば、折り畳んだ紙を直角スロットに挿入し穿孔することにより、任意の紙の正確な位置に２つの穴を穿孔することができる。
【考案を実施するための最良の形態】
【０００７】
以下に、本考案の一実施形態を示し、具体的に説明するが、本考案はこれらに限定されるものではない。
【０００８】
図１に示すように、本考案の単孔パンチは、ベース１、カバー２及び押し抜きモジュールを含む。押し抜きモジュールは、カバー２内に装着され、ベース１の上部に位置するように設置される。カバー２及び押し抜きモジュールとベース１との間には、直角スロット３が設けられる。
【０００９】
図２に示すように、押し抜きモジュールの下部に、２つの辺３１及び３２が接続され直角をなして、Ｌ型の直角スロット３が形成される。また、押し抜きモジュールに孔１１が設けられる。また、２つの辺３１及び３２を接続せず、間隔を開けた状態で、ベース１上に設けることもできる。本実施形態では、直角スロット３の一方の辺３１と孔１１の中心点との間隔は38mm〜42mmであって、好ましくは40mmであり、他方の辺３２と孔１１の中心点との間隔は10mm〜30mmであって、好ましくは13mmであるが、異なる間隔を設定することも可能である。直角スロットの２つの辺３１及び３２は、ベース１上の凸部として形成されてもよく、また、ベース１と押し抜きモジュールとを連接する辺として形成してもよい。
【００１０】
図３及び図４に示すように、本実施形態の押し抜きモジュールは、基台４、穿孔部５、バネ６、支持アーム７及びローラ１０を含む。穿孔部５は基台４に装着され、穿孔部５と基台４とにバネ６が連接され、支持アーム７とローラ１０とが、穿孔部５の上部の相対する位置に設置される。支持アーム７を押し下げると、ローラ１０が穿孔部５を下降させ、穿孔部５が孔１１を通じ、紙が穿孔される。支持アーム７の上部には操作部８が設けられ、操作部８の上面は操作を容易にするために凹型に形成され、滑り止めのための突出部９が設けられる。また、ベース１には穿孔した後の紙くずを受けるためのスタックトレイ１２が設けられる。
【００１１】
図５Ａ〜Ｃは本考案の単孔パンチを用いた穿孔方法を示す図である。穿孔する紙を折畳み、図５Ａに示すように紙の角部を直角スロット３に挿入し、図５Ｂに示すように辺３１及び３２と密接させ操作部８を押し下げると、支持アーム７が穿孔部５を押さえ、紙が穿孔される。その後、紙を広げると図５Ｃに示すように正確な位置に二つの穴が穿孔される。
【産業上の利用可能性】
【００１２】
本考案により、携帯に便利であって、紙の正確な位置に穿孔可能な単孔パンチを提供可能となる。
【図面の簡単な説明】
【００１３】
【図１】本考案の単孔パンチの側面図である。
【図２】本考案の単孔パンチの直角スロットを示す斜視図である。
【図３】本考案の単孔パンチの断面図である。
【図４】図１における本考案の単孔パンチのＢ−Ｂ線断面図である。
【図５Ａ】本考案の単孔パンチの使用状態を示す斜視図である。
【図５Ｂ】本考案の単孔パンチの使用状態を示す斜視図である。
【図５Ｃ】本考案の単孔パンチにより穿孔された紙を示す斜視図である。
【符号の説明】
【００１４】
１    ベース
２    カバー
３    直角スロット
４    基台
５    穿孔部
６    バネ
７    支持アーム
８    操作部
９    突出部
１０  ローラ
１１  孔
１２  スタックトレイ
３１  辺
３２  辺
【図１】
0003118694.tif 000003
【図２】
0003118694.tif 000004
【図３】
0003118694.tif 000005
【図４】
0003118694.tif 000006
【図５Ａ】
0003118694.tif 000007
【図５Ｂ】
0003118694.tif 000008
【図５Ｃ】
0003118694.tif 000009